(57)【要約】  ディスクと外部装置間の電気信号の確実な送受信を可能としてディスク利用分野の拡張性を格段に改善する低コストで簡単な構成のディスクドライブ装置、ディスク信号処理システム並びにディスクを提供する。  ディスク１には、電子的機能部としての電子回路４が搭載され、電子回路４に電気的に接続された第１の導電部２を有する。ディスク１はターンテーブル１００上に載置され、ディスク１を把持手段により接触把持して回転駆動してディスク１に記憶されている情報を読み込む。ディスク１を接触把持する把持手段１００、２００の接触把持部（ターンテーブル）１００の少なくとも一部に第１の導電部２と電気的に接触する第２の導電部１０５が設けられている。【特許請求の範囲】
【請求項１】
搭載された電子的機能部に電気的に接続され、周方向に離隔形成された複数の第１の導電部を有するディスクがターンテーブル上に載置され、前記ディスクを接触把持して回転駆動することにより前記ディスクにアクセスするように構成され、
前記ディスクの接触把持部に前記複数の第１の導電部とそれぞれ電気的に接触する複数の第２の導電部が設けられていることを特徴とするディスクドライブ装置。
【請求項２】
ディスクドライブ装置のターンテーブル上に、電子機能部が搭載され、前記電子機能部に電気的に接続された複数の第１の導電部を有するディスクを載置し、前記ディスクを把持して回転駆動し、回転駆動時に前記ディスクの接触把持部の少なくとも一部に前記第１の導電部とそれぞれ電気的に接触する複数の第２の導電部を設け、前記第１の導電部と前記第２の導電部間で信号の授受を行うことを特徴とするディスク駆動方法。
【請求項３】
前記複数の第1の導電部と第２の導電部のそれぞれの接触位置関係を特定するための位置決め手段を有することを特徴とする請求項１に記載のディスクドライブ装置。
【請求項４】
前記位置決め手段は、前記ディスクの中央開口穴に嵌合する突出部位には径方向に突出する突起部が設けられ、前記ディスクには、前記突起部と嵌合するスリットが設けられていることを特徴とする請求項１に記載のディスクドライブ装置。
【請求項５】
前記ディスクの中央開口穴の内周壁に前期第1の導電部が形成され、前記内周壁に接触し、前記ディスクの中央開口穴に嵌合する突出部の外周面には前記第２の導電部が形成されていることを特徴とする請求項１に記載のディスクドライブ装置。
【発明の詳細な説明】
【技術分野】
【０００１】
本発明はディスクドライブ装置、ディスク駆動方法及びディスクに関し、例えば、ディスク（回転記録媒体）とディスクドライブ装置間での信号の送受信を簡単な構成で確実に行なうディスクドライブ装置、ディスク駆動方法及びディスクに関する。
【背景技術】
【０００２】
光ディスクは、主にポリカーボネート等の樹脂のようなきわめて廉価な素材で構成されるにもかかわらず記録できるデータ量が非常に多く、コストパフォーマンス面できわめて有利であるため、将来の記録媒体として最も有望である。【０００３】
光ディスクに記録されている情報を読み出し、又は情報を書き込む（読み出し／書き込み）ためにはディスクドライブ装置が使用される。ディスクドライブ装置は、光ディスクをターンテーブル上に載置し、クランパによりクランプし、スピンドルモータで回転させて、レーザ光を照射し、光ディスク表面からの反射光を受光し、復調することにより記録信号を読み出すように構成している。かかるディスクドライブ装置の代表的構成例が特許文献１乃至３に開示されている。【０００４】
【特許文献１】特開平１１−３５３７４９（段落番号〔００２４〕図１）
【特許文献２】特開２０００−１０００３１（段落番号〔００１３〕〜〔００１５〕図３）
【特許文献３】特開２０００−１０００３２（段落番号〔００１２〕〜〔００１７〕図１）
【０００５】
ところで、光ディスク上に記録領域だけでなく、電子回路等の電気的回路をも搭載した形態の光ディスクが提案されている。しかしながら、光ディスクとディスクドライブ装置は、電気的には完全に絶縁された状態で動作することと、光ディスクが高速で回転すること等に起因して、光ディスク上に搭載された電子回路と、ディスクドライブ装置側の内部回路との間の信号送受信は簡単には行なえない。【０００６】
かかる種類の光ディスクのディスクドライブ装置として提案されているのは、光ディスク側とディスクドライブ装置側での信号の送受信に無線信号を利用するものである。例えば、光ディスク面とディスクドライブ側にそれぞれアンテナを形成しておき、このアンテナを介して無線信号の送受信を行なうものである（特許文献４）。現在の主流は、このような無線による信号授受である。【０００７】
【特許文献４】特開平８−１６１７９０（段落番号〔００２０〕〜〔００２５〕図１）
【０００８】
また、光ディスク側とディスクドライブ側にそれぞれ発光／受光回路を形成しておき、この発光／受光回路を介しての光信号の送受信を行なう構成も考えられるが現実の提案はない。【０００９】
更には、当該電子回路と、ディスクドライブ装置側の内部回路との間の信号送受信を、ディスクドライブ装置による回転を停止させた状態で行なう構成も提案されている（特許文献５参照）。
【特許文献５】米国特許第５，１１９，３５３号（Ｆｉｇ．２  第４、５欄）
【００１０】
また、特許文献６には、図１９（Ａ）と（Ｂ）に示すような構造のディスクドライブ装置が開示されている。
【特許文献６】特開平５−５４４６０号公報（図１、段落番号〔００１３〕〜〔００２８〕）
【００１１】
このディスクドライブ装置は、ディスク６１０内に固体メモリ６１２を埋設しておき、固体メモリ６１２の入出力端子ＤＩ、ＤＯ、ＣＳ、ＳＣＫ、ＶＤＯからはリード線６１３ａ〜６１３ｆが引き出され（固体メモリ６１２内に埋設）、各リード線に対応させて同心円状のリング状端子６１４ａ〜６１４ｆがディスク表面に形成されている。一方、クランパ６１５の上面側に、固体メモリ６１２の入出力端子にリード線を介して接続されるべき外部接触端子６１７ａ〜６１７ｆが設けられ、これら外部接触端子は信号伝達媒体（具体的構成不明）を介してデータ入力部６２０に電気的に接続されている。【００１２】
クランパのディスク対向側には凹部７００が設けられ、この凹部７００に先端が先鋭な接触端子６１６ａ〜６１６ｆがディスク表面に存在するリング状端子６１４ａ〜６１４ｆに対向して半径方向に沿って並設されている。接触端子６１６ａ〜６１６ｆは、コイルバネ６１８によって下方に付勢されている。また、各接触端子６１６ａ〜６１６ｆと同形状のダミーピン６１６ｇ〜６１６ｌが各接触端子６１６ａ〜６１６ｆの同一線上に設けられている。これらダミーピン６１６ｇ〜６１６ｌも同様に、各リング状端子６１４ａ〜６１４ｆの間隔に合わせて設けられている。【００１３】
光ディスク６１０がクランパ６１５の凹部７００を除いた光ディスク６１０との当接面によってクランプされると、クランパ６１５の突起６１５Ａが光ディスク６１０の中心孔６１０Ａに嵌り込むことによってクランパ６１５に対する光ディスク６１０の位置決めが行われる。このとき、クランパ６１５の各接触端子６１６ａ〜６１６ｆは各リング状端子６１４ａ〜６１４ｆの間隔に位置合わせされて設けられているため、クランプ時においては各接触端子６１６ａ〜６１６ｆと各リング状端子６１４ａ〜６１４ｆとの対応がとられる。【００１４】
そして、各接触端子６１６ａ〜６１６ｆは、コイルバネ６１８によって下方に付勢されているため、各リング状端子６１４ａ〜６１４ｆに対する電気的接触が行われる。
【発明の開示】
【発明が解決しようとする課題】
【００１５】
上述のように、従来は、ディスク表面に搭載されている電子回路とディスクドライブ装置の内部回路間の信号の送受信は、主にディスク面とディスクドライブ側にそれぞれを形成したアンテナを介しての無線信号の送受信を行なう。しかしながら、かかるアンテナの形成には無線信号の周波数用に適合するような形状パラメータでの形成が必要であり、ディスク面上へのかかるアンテナの形成は高精度なエッチング手法を要するだけでなく、無線周波数への／無線周波数からの周波数変換回路を形成する必要もあり、低コストが大きな有益性をもつ光ディスクにとって大きな問題となる。【００１６】
特に、光ディスクの場合、表面に薄いアルミ等の金属膜が形成されているため、その表面に密着されて（ミクロンオーダー）形成されているアンテナの電波授受に障害要因となる。このことは他のディスクについても同様であり、ディスクドライブ装置を含め、ディスク近傍に電波障害の原因となる多くの金属部材が存在するので問題となる。また、数千ｐｐｍで高速回転しているディスク上に搭載されているアンテナは、物理的にも電気的にも不安定になるおそれがあるだけでなく、送信電力の大きさによっては外部に電波が漏れて電波盗聴の恐れも生ずるし、逆に外部からの電波妨害の問題も生じてくる。更に、アンテナ配置方向も送受信感度に大きな影響を与え、安定な送受信感度を得ることができない。また、アンテナを含む無線部をディスクに搭載するには、規格及びバランスを考えると、可能な限り薄型化、小型化しなければならず、性能との関係で問題が生ずる。これらの問題は、アンテナが搭載されているディスクがきわめて高速に回転しているので更に顕著になってくる。【００１７】
また、ディスク側とディスクドライブ装置側に形成した発光／受光回路を介しての光信号の送受信を行なう構成においては、回転体であるディスクと静止体であるディスクドライブ装置間では、位置関係がきわめて高速で変化するため、その構成の実現はきわめて困難である。【００１８】
更には、ディスクドライブ装置による回転を停止させた状態で、電子回路とディスクドライブ装置側の内部回路との間の信号送受信を行なう場合には、ディスク回転中にディスクとディスクドライブ装置側との信号送受信を行なうことはできず、リアルタイムでの信号処理は不可能である。【００１９】
また、特許文献６に開示されているディスクドライブ装置は、非常に複雑な構成でコスト高となるだけでなく、安定かつ確実な動作を実現することが殆ど不可能である。以下、その問題点をより具体的に説明する。【００２０】
各接触端子６１６ａ〜６１６ｆは、その先端が先鋭で、クランパの凹部７００内のコイルバネ６１８によって下方に付勢されるように構成されてリング状端子に電気的に接触されている。しかしながら、これらの接触端子６１６ａ〜６１６ｆは、電気的接触を行うためのみの目的でコイルバネ６１８により付勢されており、ディスクを回転させる際のずれや滑りのないようにしっかりとディスクを把持、保持するというクランプ機能とは基本的に異なり、クランプ機能を有していない。クランプ機能を果たすのはクランパ６１５のディスク６１０と面接触している上記凹部７００を除いた部分である。先端が先鋭な接触端子６１６ａ〜６１６ｆは、クランパの凹部７００内のコイルバネ６１８によって下方に付勢されているからディスク６１５を下方向（垂直方向）に押圧してリング状端子と電気的に接触されるものの、基本的に点接触であるから、水平方向（回転方向）に対してのずれや滑りを抑止できずクランプ機能を果たさない。また、コイルバネ特性やその特性劣化等により電気的な接続は不安定とならざるを得ない。【００２１】
また、固体メモリは小さいから、そこからの入出力端子の間隔も狭く、したがって、ディスク表面に径方向に形成するリング状端子の形成間隔も狭く、その結果、例えばＣＤプレーヤのような携帯型装置や、車載ＣＤプレーヤ装置等の場合には、外力によりクランパとディスクの相対位置がずれてしまうこともあり、その場合には、接触端子と本来接触すべきリング状端子との接触が外れ、ときに、隣のリング状端子と接触する恐れさえ生ずる。このことはディスクが数千回転／秒で高速回転することを考えれば、さらに深刻な問題となる。更に大きな問題は、このように狭間隔で、それぞれコイルバネを有し長手方向の複数の接触端子をクランパ凹部に高精度で設置することはきわめて困難であり、また、これらの接触端子をディスク上の狭間隔で設置されたリング状端子に正確に位置合わせすることも極めて困難であり、現実的には実用化が不可能であることである。【００２２】
更に、接触端子コイルバネ６１８によって下方に付勢されて初めてリング状端子との電気的接触が可能となるが、長時間使用によりコイルバネが劣化した場合には、スペース上、また複雑な構成であることから使用不可能となってしまうこともあるし、接触圧が変化し電気的接続特性も劣化してしまう。【００２３】
また、固体メモリはディスクに埋め込まれているため、製造工程が複雑化し、リード線も固体メモリとともにディスクに埋め込まなければならず、更には表面に露出させたリード線に接続してリング状端子を径方向に高精度で形成しなければならずコストが著しく高くなるだけでなく、一旦埋設してしまった固体メモリの交換は不可能である。【００２４】
また、固体メモリから取り出すリード線は真上方向に配置するのが製造上効率的であるため、固体メモリの真上にリング状端子が配設されるのが通常で、固体メモリと、電気的接続の対象となるリング状端子を、離隔して配設することは困難であり、構造の複雑化とコスト増の大きな要因となる。【００２５】
更に、固体メモリは高々１ミリ程度の厚みのディスク内に埋め込まれており、外部からの衝撃に弱い半導体にとっては大きな問題が生ずる。固体メモリが埋設されているディスク表面はクランパの凹部内のスプリングバネで付勢されている接触端子の先端部が常時点接触圧力を受けて突き当たっており、特にディスクを最初にクランプするときには大きな圧力となって埋設されている固体メモリに衝撃を与える。当該ディスクドライブ装置によるディスク再生、記録の都度、このような衝撃が固体メモリに加わるのであるから固体メモリに与える影響は見過ごすことができない問題であり、長寿命化の面での問題もある。【００２６】
また、この構造では、固体メモリとの電気的接続は、クランパ側に限定され、その反対面側での電気的接触は不可能で、設計の自由度が低い。【００２７】
そこで、本発明の目的は、上述課題を悉く解決し、低コスト、簡単な構成でディスク側とディスクドライブ装置側間で信号の確実な送受信を可能とするディスクドライブ装置、ディスク駆動方法及びディスクを提供することにある。【００２８】
本発明の他の目的は、ディスクと外部装置間の電気信号の確実な送受信を可能としてディスク利用分野の拡張性を格段に改善する低コストで簡単な構成のディスクドライブ装置、ディスク駆動方法及びディスクを提供することにある。【００２９】
本発明の更に他の目的は、低コスト、簡単な構成でディスク側とディスクドライブ装置側間で複数信号の確実な送受信も可能とするディスクドライブ装置、ディスク駆動方法及びディスクを提供することにある。【００３０】
なお、本発明は、ディスク側とディスクドライブ装置側間の信号の授受態様のすべてを意味し、“送信”、“受信”、“送信及び受信”等のすべての電気的情報、信号、電力等のやりとりの態様を含む。
【課題を解決するための手段】
【００３１】
上述課題を解決するため、本発明によるディスクドライブ装置、ディスク駆動方法及びディスクは次のような特徴的な構成を採用している。【００３２】
（１）搭載された電子的機能部に電気的に接続され、周方向に離隔形成された複数の第１の導電部を有するディスクがターンテーブル上に載置され、前記ディスクを接触把持して回転駆動することにより前記ディスクにアクセスするように構成され、
前記ディスクの接触把持部に前記複数の第１の導電部とそれぞれ電気的に接触する複数の第２の導電部が設けられているディスクドライブ装置。
（２）ディスクドライブ装置のターンテーブル上に、電子機能部が搭載され、前記電子機能部に電気的に接続された複数の第１の導電部を有するディスクを載置し、前記ディスクを把持して回転駆動し、回転駆動時に前記ディスクの接触把持部の少なくとも一部に前記第１の導電部とそれぞれ電気的に接触する複数の第２の導電部を設け、前記第１の導電部と前記第２の導電部間で信号の授受を行うディスク駆動方法。
（３）前記複数の第1の導電部と第２の導電部のそれぞれの接触位置関係を特定するための位置決め手段を有する上記（１）のディスクドライブ装置。
（４）前記位置決め手段は、前記ディスクの中央開口穴に嵌合する突出部位には径方向に突出する突起部が設けられ、前記ディスクには、前記突起部と嵌合するスリットが設けられている上記（１）のディスクドライブ装置。
（５）前記ディスクの中央開口穴の内周壁に前期第1の導電部が形成され、前記内周壁に接触し、前記ディスクの中央開口穴に嵌合する突出部の外周面には前記第２の導電部が形成されている上記（１）のディスクドライブ装置。
【発明の効果】
【００３３】
本発明によれば、ディスクとディスクドライブ装置間での確実な信号送受信を可能とすることにより、ディスクと外部装置間の電気信号の確実な送受信を可能とし、つまり、ディスクに記録されている情報の読み出しやディスクへの書き込みは勿論、当該ディスク上に搭載されている１または複数の電子回路（信号処理回路やメモリ等の回路動作に必要な構成、バッテリ等を含み、総称して電子的機能部と称する）と外部装置間の信号送受信を簡単な構成で可能とすることができる。また、ディスクに搭載したバッテリへの電源の供給等の他態様の機能を簡単かつ確実に達成することができる。したがって、それぞれのディスク上に形成された１または複数の電子回路の機能に基づく固有の動作を規定することができるようになり、ディスクを用いた利用分野の拡張性が格段に改善される。更に、通常のディスク表面に薄膜ＩＣ等の電子回路と、この電子回路と電気的に接続された薄膜等の導電部を形成するだけで、著しい応用範囲が拡張される新たな構成のディスクが最小限のコスト上昇で得られる。また、かかるディスクをアクセスするためのディスクドライブも簡単な構成の追加だけで済み、コスト上昇を最小限に抑えたディスクドライブ装置が得られる。このような効果は、きわめて廉価でありながら大きな記録容量が得られる光ディスクを用いる場合に特に顕著となる。そして、本発明によれば、ディスクとディスクドライブ装置間の信号授受を速度やデータ量に殆ど制約がなく高速かつ安定に行うことができるようになる。【００３４】
特に、本発明では、ディスク回転中であってもディスク搭載電子回路に接続されている導電部と、ディスクドライブの当該ディスクを回転させるため保持、把持部（少なくとも一部に形成された電気的接触部）とが直接接触して電気的に接続されるため、ディスク側とディスクドライブ側の導電部間は強力な圧接力（通常は面圧力）で把持、クランプされているので安定かつ確実な電気的接続が得られる。ディスク表面に形成された金属膜や、その周辺の金属部材による電波障害は全く問題とならないし、外部への電波等による電波漏れに起因する盗聴の恐れも全くなく、外部からの電波妨害の問題も生じることなく、また信号授受（通信）速度の制約もない。【００３５】
更に本発明では、ディスクとディスクドライブ装置側の導電部間がクランプ部材のようなスプリング力により強力に接触する構成を簡単に得られる。また、これら種々の接続態様を同時にまたは適宜いくつかを組み合わせて用いることにより多種多様な応用分野が得られる。【００３６】
また、本発明では、電子回路と電気的に接続される導電部は、いずれもディスク表面上に薄膜形成で構成でき、この導電部薄膜に直接的に面接触する導電部がクランパまたはターンテーブル上に形成されるだけであるから極めて簡単な構成である。しかも、クランパまたはターンテーブル上に形成される導電部は、回転させるのに必要なクランプ、把持、保持圧力を直接受け、ディスク側の導電膜と面接触するような構成であるため、導電部がない場合と同じクランプ圧力が得られるだけでなく、面接触による電気的接触は確実で、しかもディスクとクランパまたはターンテーブルとの相対的位置関係がずれても両者の電気的接触に影響は殆ど与えない。【００３７】
すなわち、電気的接続は、ディスクを回転駆動させるクランプ（把持、保持）領域の導電部と、ディスクドライブ装置側の導電部間の電気的接触により行われるので、確実な接続が可能となる。上述を含め、この効果は特許文献６の構造との大きな相違点である。つまり、引用文献６では、コイルスプリングにより下方に付勢される先端先鋭なリング状端子がディスク表面の電極と電気的に接触するような構成であり、このリング状端子はディスクの回転のために当該ディスクを把持、保持、クランプする機能をもたない。クランプ機能を果たすのはクランパ６１５のディスクとの直接当接部である。したがって、特許文献６におけるリング状端子によるディスク表面の電極との電気的接続関係は、本発明と比較してはるかに劣るだけでなく、前述した数多くの問題を内包する。【００３８】
更に、導電部の他部との接続は精度は全く要求されず、単に接続されていれば良く、固体メモリと導電部の配置は任意で用途に応じて適宜位置に設けることができる。【００３９】
また、本発明では、電子回路等はディスクドライブ装置側のクランパやターンテーブルと接触しない、つまりクランプ圧力を全く受けない位置に配設されているから、特許文献６のような、クランパ凹部内のスプリングバネで付勢されている接触端子の先端部からの常時の点接触圧力やクランプ圧力を受けることはまったくなく、衝撃に弱い半導体回路、チップ等に衝撃を与えることはなくなり、長寿命化が図れる。【００４０】
更に、本発明では、ターンテーブルとクランパ側（クランプ部材、突出部外周壁）での導電接続が可能であり、ディスク両面に電子回路が搭載されている場合であっても対応でき、利用範囲の著しい拡張が可能となる。
【図面の簡単な説明】
【００４１】
【図１】本発明の実施例における光ディスクの構成を模式的に示す平面図である。
【図２】本発明の他の実施例における光ディスクの構成を模式的に示す平面図である。
【図３】本発明一実施例による光ディスクドライブ装置の構成を説明するための模式化された概略断面図である。
【図４】本発明の他の実施例による光ディスクドライブ装置の構成を説明するための模式化された概略断面図である。
【図５】本発明の他の実施例による光ディスクドライブ装置の構成を説明するための模式化された要部の概略断面図である。
【図６】本発明の更に他の実施例による光ディスクと光ディスクドライブ装置の構成を説明するための模式化された要部の概略断面図である。
【図７】本発明の他の実施例による光ディスクと光ディスクドライブ装置の構成を説明するための模式化された要部の概略断面図である。
【図８】本発明の実施例における光ディスクの構成を模式的に示す平面図である。
【図９】本発明の実施例における光ディスクドライブ装置の構成を模式的に示す一部斜視図である。
【図１０】本発明の他の実施例における光ディスクドライブ装置と光ディスクの構成を模式的に示す一部斜視図である。
【図１１】本発明の更に他の実施例における光ディスクドライブ装置と光ディスクの構成を模式的に示す一部斜視図である。
【図１２】本発明の実施例による光ディスクドライブ装置の構成を説明するための模式化された要部の概略断面図である。
【図１３】本発明の他の実施例による光ディスクドライブ装置の構成を説明するための模式化された要部の概略断面図である。
【図１４】本発明の更に他の実施例による光ディスクと光ディスクドライブ装置の構成を説明するための模式化された要部の概略斜視図である。
【図１５】本発明の他の実施例における光ディスクの構成を模式的に示す斜視図である。
【図１６】本発明の更に他の実施例における光ディスクの構成を模式的に示す斜視図である。
【図１７】本発明の他の実施例による光ディスクドライブ装置の構成を説明するための模式化された要部の概略断面図である。
【図１８】本発明の更に他の実施例による光ディスクドライブ装置の構成を説明するための模式化された要部の概略断面図である。
【図１９】従来の光ディスクドライブ装置の構成を説明するための模式化された要部の概略断面図である。
【符号の説明】
【００４２】
１                  光ディスク
２、２Ａ〜２Ｃ、１０５、１０７、１０７Ａ〜１０７Ｃ、２０１  導電部
３、３Ａ〜３Ｃ、３ＡＢ、３ＡＣ      接続線部
４、４Ａ〜４Ｃ      電子回路
４Ｄ                バッテリ
５                  開口穴
６                  スリット
７、１０８          アンテナ
１００              ターンテーブル
１０１              突出部
１０２              回転軸部
１０３              回転駆動部
１０４              載置部
１０６              電気接続線
１１０              磁石
１２０（１２０Ａ〜１２０Ｃ）    クランプ部材
２００              クランパ
２１０              開口部
２２０              凹部
３０１、３０２      接続インタフェース部
４００              プリント基板
５００              筐体上面
【００４３】
なお、かかる効果は、ディスクとディスクドライブ装置に限らず、同様に回転部材を接触保持して回転させる回転機構と、回転部材との間でも得られる。本発明の他の効果は、以下の実施例の説明において明らかとなる。
【実施例１】
【００４４】
以下、本発明の実施例の具体的構成例について図面を参照しながら説明する。
本発明は、回転記憶媒体及びその媒体を回転駆動して信号授受を行うドライブ装置を対象とするものであるが、以下では、ディスクとして光ディスクを用いた例を説明する。また、ディスクドライブ装置の保持、把持手段によりしっかりと把持、保持、クランプされ、回転駆動されるディスクについても任意のディスクやカード等（例えばＣＤ、ＤＶＤ、ＭＯ、ＦＤ、ＨＤ等）を用いることができるが、以下では光ディスクについて説明する。更に広い概念で、ディスクとディスクドライブ装置に限らず、接触把持、保持して回転体を回転させる回転駆動部における回転体と回転駆動部についても同様に適用可能である。尚、以下の図面は、理解と説明を容易にするため簡略化された要部のみを示しており、そのサイズや位置関係等は正確に示しているものではない。【００４５】
本発明によるディスクドライブ装置が適用されるディスクは、電子回路等が搭載されているディスクであり、その一例を示すディスク構成が図１に示されている。【００４６】
図１において、光ディスク１の表面にはイメージ、音楽、画像等のデータが記録される記録領域（ＲＡＭ領域や、所定のプログラムが格納されているプログラム記録部としてのＲＯＭ領域等）が形成されている。記録領域の径方向内側には、情報が記録されていない非記録領域がある。また、電子的機能部、例えば、ＲＯＭ領域や他のメモリに格納されているプログラムに基づき、または独自に設計されている信号処理を実行する電子回路４が任意の部位に形成されている。この電子回路４は、後述するように種々の構成を含み、ＣＰＵ、メモリ等の電子処理に必要な任意の構成要素やバッテリ等の任意の構成要素を含むことができることは勿論であり、薄膜化されたＩＣチップで構成することが望ましい。本例では、ディスクドライブ装置のクランプ（チャッキングで、保持、把持を含む広い概念）機構により接触保持される部位に相当する位置である光ディスクの内周部（通常、透明部であるが不透明部とされることもある）の、ディスクが把持、保持、クランプされる部位（クランプ領域）の少なくとも一部に、例えば、薄膜の導電部２が形成され、その内側でクランプ領域よりも内側において、導電部２と電気的に接続されている接続部３を介して電子回路４が接続されている。ここで、光ディスク１のディスクドライブ装置によるクランプ(保持、把持)機構により接触保持される部位とは、要するにディスクドライブ装置により光ディスクを回転させる際に、ずれや滑りなくしっかりと接触把持、保持される部位すべてを含むものであり、以下に説明する実施例に限定されるものではないことは、本発明の趣旨から明らかである。【００４７】
電子回路４は、任意の部位に設けることができるが、ディスクは、通常、ディスクドライブ装置の把持、保持、クランプ（チャッキング）機構により高い密着力で保持されるので、その圧力による影響を避ける意味で上記クランプされる部位ではない更に内側に、例えば、クランプ部材（後述のターンテーブル、クランパ、クランプ部材等の任意のクランプ機構）が直接接触せず、クランプ圧力を受けない部位に設けられている。また、図２に示すように、電子回路４は、クランプ部位よりも外方向位置（非記録領域が好ましい）に設けることもできる。しかし、クランプ圧力の問題がないような構成の場合には、クランプ領域に形成しても良い。また、導電部２そのものを電子回路４と同一部位に、例えば、電子回路４が導電部２を含むように設定しても良いことは勿論である。要するに、接続部３は機能的に存在すれば良く、物理的な存在を必須としない。【００４８】
電子回路４は、例えば、光ディスク面のＲＯＭ領域に記録されているプログラムに基づく動作処理を実行する回路であり、処理結果は以下に説明するような形態でディスクドライブ装置側に送信される。また、逆にディスクドライブ装置側からの信号を受信する。電子回路４は、上述の如く、他の記録媒体に記録されているプログラムに基づく動作を行うようにしても良いし、動作が予め規定された動作を実行するように構成しても良く、メモリを含むことも当然に前提として想定しており、要するにその構成は任意である。また、電子回路は、その入出力が電気信号であれば良く、処理は光処理等、任意である。【００４９】
電子回路４の上記所定の処理は、例えば、記録部に記録されている情報が暗号化されている場合に、その暗号化されている情報を読み出して、ＲＯＭ領域に格納されているプログラムに基づいて解読するような処理がある。また、暗号化して書き込むときには、同様に、記録部に記録されている暗号化プログラムに基づいて暗号化するようにすることもできる。【００５０】
ここで、暗号化プログラムや解読プログラムを光ディスク毎に規定しておけば、各光ディスク毎に外部からの情報を一切必要としないクローズされた信号処理が可能となり、クローズされた固有の処理に基づく処理でない限りは当該ディスクへのアクセスを困難として高いセキュリティを確保することができる。また、暗号解読のためのキーを個別に外部から設定するようにすれば、より高いセキュリティが確保できる。更に、ＲＯＭ領域に記録されているプログラムに従った処理を電子回路で実行したり、外部処理回路で処理された処理結果を記録部に記録するようにすることもできる。こうすることにより、処理結果が、外部処理装置に残ることなく、光ディスクの記録部としてのＲＡＭ領域のみに保存、記録され、しかも保存、記録処理するデータを電子回路で暗号化等の処理を施しておけば、第三者は、暗号化データを解読するためのキー情報を含む解読プログラムがない限り解読データを得ることができず、きわめてセキュリティの高いシステムが実現できる。また、光ディスクに形成されている電子回路等と外部回路との信号送受信により、これまで想定されていなかった利用分野の著しい拡張が図られる。すなわち、電子回路は、ＣＰＵとして独自のプロセッサー機能、メモリとしての機能、独自処理態様の実行機能等を有するから、ディスクと機能的、有機的に関連した、従来想定されなかった利用分野への拡張が可能となる。【００５１】
さて、図１に戻ると、光ディスク１の内周部には、例えば、薄膜のリング状の導電部２が形成されている。この導電部２は、電子回路４に接続部３（同様に光ディスク１表面に薄膜形成されている）を介して電気的に接続されていても良いし、独立に情報を有する部位とすることができる。例えば、この導電部２に光ディスクの何らかの情報（ディスク固有情報等）を持たせておけば、ディスクドライブ装置から直接当該情報を取得することができる。電子的機能部としての電子回路４は、何らかの電子的情報の生成、書き込み又は保存機能を有する機能部とすることができるし、導電部自体が何らかの情報が生成するような機能部や電子回路を含んでいても良い。逆に、電子的機能部が導電部を含むようにしても良く、導電部２に外部との電気的関係で意味をもたせることもできる。電子的機能部（電子回路）はなくても良い。電子的機能部（電子回路）、導電部は、ディスクの記録領域形成面と同一面に形成しても良いし、反対面に形成しても良い。反対面に形成した場合には、記録領域へのピックアップ等によるアクセス時に、これら電子回路等が存在しないので、電子回路等の構成要素の搭載位置に制約がなく、設計の自由度が拡張される。要するに、電子回路は、電気信号が入出力される機能部であれば良い。【００５２】
光ディスク１は、ディスクドライブ装置のターンテーブル上に載置され、クランプ機構により把持、保持、クランプされ、スピンドルモータにより回転駆動される。通常、光ディスクの情報が記録されている記録領域は、光ディスク１の内周部の非記録領域以外に形成されており、内周部は透明部、半透明又は不透明部で、基本的にクランプのための部位としてのみ用いられている。本実施例では、この内周部の所定部のクランプ領域の少なくとも一部に導電部２が形成されている。【００５３】
以上は、電子的機能部としての電子回路４はディスク表面に固定的に搭載される場合を想定しているが、電子回路４が適宜取替え可能にディスクに搭載できるような構成も有益である。この場合は、ディスクの電子回路の搭載場所に電子回路（チップ）を搭載係止する係止部を設けておき、この係止部から前に使っていたチップ（電子回路）を取り外し、新たなチップを取り付け、係止させれば良い。係止部には接続部３が固定的に配設、接続される。【００５４】
かかる構成によれば、搭載されている電子回路が故障したときには新たな電子回路に取り替えられる。また、ユーザやディスクに特有な電子回路、電子的機能部を簡単に搭載でき、例えば、ユーザ毎に異なる暗号情報、ＩＤ情報等の情報をもたせることが可能となる。【００５５】
図３は本発明の実施例によるディスクドライブ装置の構成を説明するための簡略化された要部断面図である。【００５６】
図３を参照すると、ターンテーブル１００はスピンドルモータ等の回転駆動機構１０３で回転駆動される。ターンテーブル１００の下面に磁極が設けられ、その下方の対向位置に磁極を有する回転駆動部１０３が設けられ、回転駆動部１０３の磁極を変化させて、ターンテーブル１００を回転軸部１０２を中心として回転駆動させる。このような回転駆動手段としては、ステータとロータを含む回転機構のような薄型のフラットモータ構成を用いることができる。【００５７】
ターンテーブル１００は、突出部１０１を有し、この突出部１０１にディスク１の開口穴５が挿入され、ディスク１の中心位置合わせが行われる。ターンテーブル１００の外周部には、ディスク１が載置され、その表面がすべり難い弾性材で構成されている載置部１０４が設けられている。この載置部１０４はなくとも良く、ターンテーブル１００上に直接ディスクを載置しても良いことは勿論である。この場合には、電子回路４は、後述するクランパ２００が当接しない位置（後述図４参照）に搭載することが好ましい。【００５８】
ターンテーブル１００のディスク１の導電部２との対向位置には導電部１０５（載置部１０４上）が形成されている。この導電部１０５は薄膜形成としても良いし、ターンテーブル１００（載置部１０４）に導電部を埋め込んだ態様とすることもできる。【００５９】
突出部１０１の頂部には、通常、永久磁石１１０が設けられている。ターンテーブル１００の表面の、光ディスク１の導電部２と対向する位置に導電部１０５が形成されているが、図３では、理解を容易にするため簡略化しており、例えば、導電部２や１０５等の厚み、サイズは光ディスク１を含め他の構成要素と比較して大きく描かれているが、これら導電部２や１０５は、薄膜の場合を示し、実際には殆ど厚みは意識しなくて良い。また、導電部２や１０５は、少なくとも一方は周方向全域にリング状に形成しておくことが望ましいが、一部のみの形成でも良い。好ましくは、両方ともリング状とすれば、より確実な電気的接触が得られる。【００６０】
一方、光ディスク１の上方にはクランパ２００が配設される。クランパ２００は、ターンテーブル１００の突出部１０１の頂部に設けられた永久磁石１１０との対向部に、永久磁石１１０による磁力を受けて吸引される磁性部（図示せず、クランパ自体でも良い）を有する。光ディスク１をターンテーブル１００上に載置した後、クランパ２００を近づけると永久磁石１１０と当該磁性材（クランパ）との磁力によりクランパ２００が光ディスク１を挟んでターンテーブル１００に密着される。こうして光ディスク１は、同心度が維持された状態で把持、保持、クランピング（チャッキング）され、面圧接される回転軸部１０２の回転とともに回転駆動されることになる。ここで、本実施例では、クランパ２００がターンテーブル１００と一体的に回転する例を示しているが、クランパ２００とは異なり、光ディスクとは一体回転しないハウジング内に空隙を設け、この空隙内で永久磁石１１０と磁力密着され一体的に自由回転するような磁性部材を設けるようにすることもできる。クランピングとは要するに回転体としてのディスクを回転させるためにディスクを接触保持するためのすべての手段を意味し、クランプ部位とは当該接触保持（把持）される部位を示す。本実施例では、接触把持手段は、ターンテーブル１００とクランパ２００で構成される。【００６１】
このとき、光ディスク１の導電部２とディスクドライブ装置側のターンテーブル１００側の導電部１０５とは磁力等のクランプ力により強く面密着されており、確実な電気的接続が確立維持される。したがって、光ディスク１側の導電部２と、この光ディスク１とは独立したディスクドライブ装置側のターンテーブル１００側の導電部１０５とは確実に電気的に接続されることになる。もちろん、ディスクドライブ装置側の光ディスク１の導電部２との接続は、ターンテーブル１００に限らず光ディスク１を把持、保持して一体的に回転し、電気的に接触する部位であればどこでも良い。【００６２】
ディスクドライブ装置側の導電部１０５は、外部回路、例えば、ディスクドライブ装置の内部の回路（例えば、プリント基板４００で外部のパソコン等と信号が授受される）に接続される。この導電部１０５と内部回路との間の接続は、ターンテーブル１００を光ディスク１とともに回転させる回転軸部１０２の先端部に設けられた接続インタフェース部３０１と、この接続インタフェース部３０１と離隔位置に設けられ、内部回路のプリント基板４００に接続された接続インタフェース部３０２とを介して行われる。導電部１０５から接続インタフェース部３０１への接続は、回転軸部１０２の内部または外周に沿って設けた電気接続線（ワイヤ）１０６によって行うことができる。【００６３】
接続インタフェース部３０１と３０２間の接続は、接続インタフェース部３０２を離隔させずスリップリングのような電気的接続で行うことができる。この場合は、ノイズの少ないディスク１側の電子回路に電源を供給させる場合に有効である。また、両接続インタフェース部３０１と３０２にそれぞれ設けられたフォトダイオードのような光電変換手段や、アンテナを有する無線手段等を用いることができる。以下に説明する実施例では、フォトダイオードを接続インタフェース部３０１と３０２にそれぞれ設けておき、導電部１０５からの電気信号を接続インタフェース部３０１側のフォトダイオードで光信号に変換して接続インタフェース部３０２側のフォトダイオードに送光する。【００６４】
接続インタフェース部３０２のフォトダイオードで受光した光信号は電気信号に変換され、変換された電気信号がプリント基板４００の回路部に送出される。逆に、プリント基板４００からの電気信号をターンテーブル１００の導電部１０５とディスク１の導電部２（また接続部３）を介してディスク１の電子回路２に送出する場合も同様な経路で信号送出が行われる。このように、回転軸部１０２の回転軸中心（回転軸に沿って）に近接して設けられた光電変換手段や無線手段による接続は、光や電波の強度が弱くとも接続（通信）が可能となり、また、外部に漏れる恐れも殆どなく、外部からの妨害や雑音の影響の影響もきわめて少なくできるのでセキュリティ面でも有効である。【００６５】
すなわち、回転軸部１０２の軸心に沿った光電変換手段や無線手段の設置は、回転軸部の回転に起因する信号光のブレが少なくて済むし、また、無線手段により信号送受信を行なう場合も効率的な送受信が可能となる。これらは、以下のすべての実施例でも適用され、同様な効果が得られる。【００６６】
図４は、図３に示す実施例の変形例を示し、ディスク１上の電子回路４を導電部２の内側ではなく外側（非記録領域）に接続部３を介して設けた例である。この場合も電子回路４には何らの力も加わらない。【００６７】
図５は、図３に示す実施例の他の態様例を示すディスクドライブ装置の構成を説明するための簡略化された要部断面図である。【００６８】
本実施例では、ターンテーブル１００側の導電部１０５からディスクドライブ装置側の回路との信号授受を回転軸部１０２側ではなく、突出部１０１側（上方部）に設けた接続インタフェース部３０１と、例えば、ディスクドライブの筐体上面５００側に設けた接続インタフェース部３０２により行う。上述実施例と同様に、接続インタフェース部３０１は、突出部１０１の回転軸の略中心部（中心軸に沿って）に設けられ、接続インタフェース部３０２は接続インタフェース部３０１と対向設置される。【００６９】
本例でも、突出部１０１の頂部に設けた接続インタフェース部３０１と、導電部１０５とが電気的配線１０６を介して電気的に接続されている。一方、クランパ２００の接続インタフェース部３０１の対向部は、上述のように、電気的、光学的又は無線的に開口されており、例えば、開口部２１０で両接続インタフェース部３０１と３０２間がスリップリングで接続されるような構成とすることができる。また、光を通過させるように穴を設けたり、透明材で形成したり、また電波が透過するような材料による構成を用いることができる。接続インタフェース部３０１との対向側には接続インタフェース部３０２が設けられ、両接続インタフェース部３０１と３０２間で信号の授受が行われる。【００７０】
図６（Ａ）と（Ｂ）は、本発明によるディスクドライブ装置の他の実施例を示すディスクドライブ装置の構成を説明するための簡略化された要部断面図とディスクの一部斜視図である。【００７１】
本実施例は、ディスク上に搭載される電子回路４、接続部３及び導電部２を、図３〜図５のような実施例とは反対面（上面）側に設けた例である。本実施例では、ディスク下面に通常の音楽、映像等のデータが記録されており、上面に電子回路４等が形成されている。したがって、光ピックアップのアクセス動作が実行されるディスクの下面に電子回路等を設ける場合と比較すると、アクセス動作等に何らの制約のない上面に電子回路等が設けられているので、電子回路等の構成要素の搭載場所は任意であり、設計の自由度が格段に向上する。【００７２】
図６において、クランパ２００のディスク１をクランプする部位、すなわち、クランプ圧力がディスク１に面圧力として直接加わる部位に、例えば薄膜の導電部２０１を設ける。この導電部２０１は、クランパ２００と一体的に結合されており、クランパ２００によるディスク１のクランプ力がそのままクランプ面圧力として直接伝達される。したがって、ディスク１の導電部２とクランパ２００の導電部２０１とは面接触され、かつ両導電部はクランプ面圧力を受けるので確実かつ安定な電気的接触が得られることになる。導電部２０１は、クランパ２００の内部または外面に沿って電気配線１０６によって、クランパ２００の上面の回転中心軸位置近傍に設けられた上述実施例と同様な接続部３０１に接続される。この接続部３０１と対向して、例えば、筐体上面５００に配設された同様な接続インタフェース部３０２との間の接続は、上述したように、スリップリングによる電気的接続、フォトダイオードのような光電変換手段による光学的接続、無線手段による無線接続等を用いることができる。【００７３】
ここで、クランパ２００のディスク１との接触面は、任意であり、ディスク１との対向面全面を接触させたり、一部のみ接触させてクランパ面とすることができる。例えば、外周部のみクランパ面とし、内周側を凹部とすれば、この凹部にディスク１の電子回路４等を配置することができ、電子回路４等にクランプ圧力は加わらないようにすることができる。【００７４】
尚、クランプ領域とは、ディスク１に当接して把持、保持するクランプ力が直接的に加わる部位であり、正確には、図６（Ｂ）（本実施例の説明全般も同様）においては、ディスク１が直接当接する部位は戴置部１０４の表面部であるが、戴置部１０４がない場合や戴置部１０４が薄くて実質的にターンテーブル１００全体全体がディスク１と当接する場合を含んでクランプ領域と表示している。クランプ領域とは、このように実質的にクランプ力が直接的に加わる領域を意味していることは本発明の趣旨から明らかである。【００７５】
本実施例の場合も、ディスク側とクランパ側の導電部の形状や寸法等は、両者がクランプ時に電気的に接触するような形態であれば任意であり、両者ともリング状（環状）とすることもできるし、一方のみをリング状とし、他方を円弧状、所定長の任意形状とすることができる。【００７６】
図７は、本発明によるディスクドライブ装置の更に他の実施例を示すディスクドライブ装置の構成を説明するための簡略化された要部断面図とディスクの要部斜視図である。省略部位は前述実施例と同様な構成を採用できるので、その説明は省略する。【００７７】
本実施例は、上述実施例におけるディスクのクランプ（回転に必要な把持、保持）手段として、ディスクの開口穴５の内周部を上方から押圧（係止）してターンテーブル１００との間で把持、保持、クランプするクランプ部材を用いている。【００７８】
本実施例では、図７（Ａ）に示すように、クランプ部材１２０（１２０Ａ〜１２０Ｃ）は、ターンテーブル１００の突出部１０１の外周方向に複数個（例えば、等間隔に３個）設けられ、突出部１０１内に設けられたバネ部材（図示せず）により外径方向にバイアスがかかっており、このバネ部材によるスプリング力に抗して光ディスクを上から押し込んで接触固定する。すなわち、ディスク１の中央開口穴５を上方向から突出部１０１にクランプ部材１２０のスプリング力に抗して押し込んでディスク１をターンテーブル１００の載置部１０４に載置させると、クランプ部材１２０が一旦、内側（点線部内）に引っ込んだ後、ディスク１の上面に入り込んで、ディスク１をクランプ部材１２０とターンテーブル１００間で強力に固定する。このような構成を有するディスクドライブ装置は、上述実施例と比較してクランパ２００が不要であるため構成が簡素化され、且つ薄型化されるため、低コストで且つ小型化に適し、ノートパソコンのような小型な電子機器に適用されることが多い。クランプ部材１２０のディスク１との接触部の少なくとも一部には導電部が形成され、導電部１０５等と同様な機能を果たす。クランプ部材の構成は、任意でユーザのボタン等の操作に応答して内側に引っ込むようにすることができる。尚、図７（Ａ）と（Ｂ）における記録領域、非記録領域はディスクの下面の猟奇を示す。【００７９】
本実施例では、図７（Ｂ）に示すように、ディスク１の開口穴５の内周端部の周方向領域（斜線部）にリング状の導電部２を形成し、この導電部２と接続部３を介して電気的に接続された電子回路４をディスク１の上面に搭載している。ディスク１のターンテーブル１００側（ディスクの下面）に情報記録面が形成され、光ピックアップによる情報の書き込み、読み出しが行われ、一方、ディスクの上面に電子回路４等が搭載されているので、光ピックアップ駆動機構等の物理的制約がなく、搭載場所にも制約がなく、例えば、この上面にはクランプ圧力が加わる部位がないので、複数の電子回路等の搭載等、利用性、設計の自由度が拡張される。ディスク開口穴５の内周端部の周方向領域の他に開口穴５の内周壁にも導電部２を形成すればより確実な電気的接触が得られる。【００８０】
図７（Ｂ）に示すディスク１をターンテーブル１００上に載置すると、３個のクランプ部材１２０Ａ〜１２０Ｃの導電部がディスク１の開口穴５の内周端導電部２に押圧接触してディスク１をターンテーブル１００との間で把持、保持する（クランプする）。このクランプ部材１２０Ａ〜１２０Ｃ（導電部）には電気的配線（配線ワイヤ）１０６が接続され、上述実施例と同様に、突出部１０１の頂部に設けられた接続インタフェース部３０１に接続される。クランプ部材１２０（１２０Ａ〜１２０Ｃ）の構成は、任意であり、ディスク１の導電部２との電気的接触が確実で安定であるような形状、構造とすることが望ましい。例えば、ディスク１の導電部２との接触面積が大きいことが望ましく、クランプ部材１２０のディスク側との接触部位をできるだけ水平構造としたり、当該接触面を弾性材とし、クランプ時に接触面積を拡大することもできる。【００８１】
図８と図９は、ターンテーブル１００側の突出部１０１の外周壁にクランプ部材１２０Ａ〜１２０Ｃを複数個（本例では３個）設けたディスクとディスクドライブ装置の簡略化された斜視図である。本例では、ディスク１の開口穴５の内周部には、クランプ部材１２０Ａ〜１２０Ｃにそれぞれ対応して電気的に隔離された導電部２Ａ〜２Ｃが設けられ、それぞれが接続部３Ａ〜３Ｃを介して電子回路４Ａ〜４Ｃに接続されている。本例では、電子回路４Ａ〜４Ｃは、ディスク１の記録面とは反対面の記録領域が存在しない領域に設けられている。【００８２】
突出部１０１の外周には所定間隔（本例では、等間隔）で３個のクランプ部材１２０Ａ〜１２０Ｃが設けられ各クランプ部材１２０Ａ〜１２０Ｃは、それぞれ電気配線１０６Ａ〜１０６Ｃを介して接続インタフェース部３０１に接続される。したがって、ディスク１をターンテーブル１００に搭載すると、ディスク１はターンテーブル１００とクランプ部材１２０Ａ〜１２０Ｃによってクランプされ、クランプ部材１２０Ａ〜１２０Ｃがディスク１の導電部２Ａ〜２Ｃとそれぞれ強力に接触し、電気的に接続されることになる。【００８３】
これら３本の電気配線１０６Ａ〜１０６Ｃを介して送出される信号は、接続インタフェース部３０１から、接続インタフェース部３０２に送出される。この場合、３つの信号を電気的又は光学的に多重化して接続インタフェース部３０１から送出することもできる。【００８４】
上述の実施例では、複数の電子回路のぞれぞれと電気的に接続されるクランプ部材との対応関係を規定することが必要な場合がある。例えば、図８に示すディスク上の電子回路４Ａ〜４Ｃと、クランプ部材１２０Ａ〜１２０Ｃ、すなわち、ディスクドライブ装置や外部装置（パソコン）等の特定回路部との信号授受関係が特定されている場合には、当該電子回路と対応する特定回路との電気的接続は固定される必要がある。そのための手段は種々考えられ、例えば、ディスク１とターンテーブル１００側にそれぞれ目印を付けたり、物理的特定形状部を設け、これら物理的特定形状部の相対的関係により位置決めすることができる。また、両者に電気的、磁気的な関係を定めておき、それらの関係で位置決めすることもできる。例えば、磁石をそれぞれに設けておき、両磁石の磁力によって一律な位置決めをすることができる。【００８５】
図１０には、上記位置決め機構として、ディスク１の内周部の所定部位に径方向にスリット６を形成し、一方、ターンテーブル１００の突出部１０１の外周壁には当該スリット６が入り込む凸部１３０を設け、ディスク１のスリット６に凸部１３０を入り込ませ（嵌合させ）、両者の対応位置関係を一義的に位置付けることができる。ここでの位置決めは、対応する導電部間が確実に接触するような位置決めであり、導電部の幅が比較的広いので、スリット６や凸部１３０の配設位置は高精度である必要はない。【００８６】
ディスクとターンテーブル側の一義的位置決めを行うことなく、クランプ部材１２０Ａ〜１２０Ｃからの出力を受ける切り替え手段を、導電部２Ａ〜２Ｃと上記接続インタフェース部３０１までの経路途中に設け、対応する信号を選択的に接続先に送出するように構成することもできる。この場合には、受信した信号を判別し、判別結果に基づいて上記接続先への送出を行うことができる。この切り替え手段は、外部回路側に設けることができることは勿論である。【００８７】
かかる位置決めや切り替え手法は、これらの実施例や後述実施例に限定されないことは勿論であり、複数の電子回路と、ディスクドライブ装置側の対応する複数の電気的部位への対応付けを行う場合にすべて適用できることは明らかである。【００８８】
さて、図７と図９を参照すると、ディスク１の開口穴５にターンテーブル１００の突出部１０１に嵌め込まれてディスク１がクランプされ、回転駆動部１０３の機能によりディスク１が回転駆動される。ターンテーブル１００の載置部１０４にはディスク１が載置され、クランプ部材１２０Ａ〜１２０Ｃによってディスク１がクランプされて回転駆動される。クランプ時に、ディスク１の対応する導電部２Ａ〜２Ｃと電気的に接続されるクランプ部材１２０Ａ〜１２０Ｃのそれぞれは、突出部１０１、ターンテーブル部１００及び回転軸部１０２内部またはこれらに沿って配設された、対応する配線部１０６Ａ〜１０６Ｃを介して、回転軸部１０２の先端部に設けられている上述接続インタフェース部３０１に接続されている。ディスクドライブ装置の筐体側で接続インタフェース部３０１との対向部には上述接続インタフェース部３０２が設けられ、これらは電気的、光学的または無線的に接続される。【００８９】
かかる構造では、ディスクドライブ装置側のクランプ部材１２０（１２０Ａ〜１２０Ｃ）が光ディスク１の導電部２と強力に押圧接触しているため両者の電気的接続が確実に行われる。すなわち、ディスク開口孔５の内端側に形成されている導電部２に、クランプ部材１２０の導電部が電気的に接触するので、また、クランプ部材（一般には、係止部材）１２０Ａ〜１２０Ｃが周方向に複数個設けられており、それぞれのディスクの一つの導電部に同様に非常に強い力で圧触しているので、接触、電気的接続の安定性は高い。この構成では、ディスクの最内周部(開口孔沿い)に導電部を離隔形成しておき、この離隔部としてのクランプ部材と接触しない位置に電子回路を設けることもできる。【００９０】
クランプ部材の構造、形状は、より確実な電気的接触を得るために適切に選択することが望ましい。クランプ部材の接触部に弾性特性を持たせたり、ディスクを押し込んだ後に当該ディスクの開口穴の内周端に設けられた導電部とできるだけ大きな接触面積で密着するような構造、材料を選択することができる。このような構造におけるクランプ部材は繰り返し使用されるので、繰り返しの押圧、使用等に耐えるような材料、形状が望ましい。【００９１】
図１１は本発明の更に他の実施例によるディスクドライブ装置とディスクを説明するためのディスクとターンテーブルの要部斜視図である。【００９２】
本実施例では、光ディスク１の中央開口穴５の内周壁面の少なくとも一部（本例では全面）に導電部２を形成し、この導電部２を電気的接続部３を介して電子回路４に接続するように構成し、一方、ディスクドライブ装置の突出部１０１の外周表面部の少なくとも一部（本例では全面）に導電部１０７を設け、光ディスク１の中央開口穴５を突出部１０１に挿入、嵌め込むことにより、両導電部２と１０７を電気的に接触させるように構成する。広い意味では、この場合も光ディスクのクランプ、保持、把持部に導電部が形成され、簡素な構成で確実且つ安定な信号授受が行われることになる。より確実なクランプのためには、前述のような、クランプ部材１２０（１２０Ａ〜１２０Ｃ）やクランパ２００を用いることができる。その場合には、クランプ部材１２０やクランパ２００は、導電部としては利用しないので、絶縁体で構成したり、表面部を絶縁することが望ましいが、導電部として利用することも勿論可能である。この場合には、前述実施例のターンテーブル１００側の導電部１０５、クランパ２００の導電部２０１、クランプ部材１２０等を介する電気的接続経路を併せて利用可能である。このような複数経路の利用により、一つをバックアップとしたりして、各種の利用形態が適用できる。【００９３】
突出部１０１を先端に向かって細くなるような略錐状とし、ー方、ディスク１の開口孔５の内周面も当該突出錐状部と合致するような形状とすれば、ディスク１の開口穴５を突出部１０１に挿入するだけで上記円錐状表面に形成された導電部間で確実な電気的接続が得られる。この例も広い意味ではクランプであるが、前述したようなクランプ構造を併せて採用すればより確実なクランプが可能となる。また、突出部１０１の導電部１０７部分を弾性構造としたり、バネ材で外方向にバイアスするような構造とすればディスクを挿入後は両導電部間を強力確実に接触させることができる。また、ディスク挿入後に、ディスク開口端部を何らかの機構により押さえるようにして、より確実な電気的接触とクランプ機能を得ることができる。【００９４】
図１２には、クランプ部材１２０によるクランプ機構を採用した構造の簡略化した断面図が示され、図１３には、クランパ２００によるクランプ機構を採用した構造の簡略化した断面図が示されている。本例では、電子回路４は、クランパ２００より更に外側に配設されている。【００９５】
本実施例では、例えば、薄膜構成とした導電部をディスク開口穴の内周壁とターンテーブルの突出部の外周壁面に形成するだけで済むため構成がきわめて簡素化され、コスト面でも有利である。【００９６】
図１４は、図１１の実施例の応用例としてのディスクドライブ装置の他の実施例を説明するためのディスク構成とディスクドライブ装置のターンテーブル１００と突出部１０１の構成を示す簡略化された斜視図である。本実施例は、ディスク１上に３個（複数個）の電子回路４Ａ〜４Ｃを搭載する例を示し、ディスク１の開口穴５における内周壁に導電部２Ａ〜２Ｃが離隔形成されている。これら導電部２Ａ〜２Ｃは、接続部３Ａ〜３Ｃを介して電子回路４Ａ〜４Ｃに電気的に接続されている。また、ターンテーブル１００の突出部１０１の外周壁には、ディスク１が突出部１０１に嵌め込まれたときに導電部２Ａ〜２Ｃと個別に接触する導電部１０７Ａ〜１０７Ｃが形成されている。この場合には、導電部２Ａ〜２Ｃと１０７Ａ〜１０７Ｃとが対応付けられて接触するような位置付けを可能とするため、例えば、図１０を参照して説明したように突出部１０１に凸部１３０をディスク側にスリット６を設けるような構造を採用している。【００９７】
次に、本発明の他の実施例について説明する。本実施例は、ディスク１に形成されている導電部を複数個とし、各導電部に電気的に接続されている電子回路等の一つを充電可能なバッテリとし、このバッテリをディスクドライブ装置側から供給される電源で充電し、バッテリから他の電子回路等に電源を供給するような構成である。【００９８】
図１５に示す実施例では、図８の実施例で電子回路４Ａに代えてバッテリ４Ｄを用い、このバッテリ４Ｄから他の電子回路４Ｂや４Ｃに接続線３ＡＢや３ＡＣを介して電源が供給される。バッテリ４Ｄは、ディスクドライブ装置側の導電部（クランプ部材１２０Ａ）から電源が供給され充電される。ここで、バッテリ４Ｄを設けることなく、ディスクドライブ装置側の導電部（クランプ部材１２０Ａ）から供給される電源を接続線３ＡＢと３ＡＣを介して直接的に他の電子回路４Ｂ、４Ｃに供給するように構成することもできる。【００９９】
また、図１６に示す実施例では、図１４の実施例で電子回路４Ａに代えてバッテリ４Ｄを用い、このバッテリ４Ｄから他の電子回路４Ｂや４Ｃに接続線３ＡＢと３ＡＣを介して電源が供給される。バッテリ４Ｄは、ディスクドライブ装置側の導電部（突出部１０１の導電部１０７Ａ）から電源が供給され充電される。ここでも、バッテリ４Ｄを設けることなく、ディスクドライブ装置側の導電部１０７Ａから供給される電源を接続線３ＡＢと３ＡＣを介して他の電子回路４Ｂ、４Ｃに供給するように構成することもできる。【０１００】
かかる構成では、ディスク回転動作中であってもディスク１上の電子回路４には常時電源が供給される。電源はノイズの影響を問題にしないで済むことから、ディスクドライブ装置側または外部からの電源は、回転部分との接触があっても問題がなく、電源供給は比較的簡単に行える。【０１０１】
なお、ターンテーブルの回転の停止時にディスクの導電部とディスクドライブ装置側の導電部を接触保持させるようにしても良く、この場合、回転停止時にディスクに設けられたバッテリを充電させることができるし、電子回路との信号授受も可能である。【０１０２】
本発明では、上述の如き実施例を同時に適用することにより更に幅広い用途に対応できるようになる。すなわち、ディスクの下面と上面の導電部２、ディスク開口穴５上面の内周端の導電部２及び開口穴５の内壁面の導電部２等の少なくとも２つを設けておき、クランプ時に、これらとクランプ圧力を受けて電気的に接続され、ディスクドライブ装置側のターンテーブル１００、クランパ２００、クランプ部材１２０及びターンテーブル１００の突出部１０１の外周壁面等に、対応する導電部１０５、２０１、１２０、１０７等を設けておき、クランプ時に電気的に接続された導電部間を介して信号の授受が行われる。この場合、ディスク側とディスクドライブ装置側のクランプ時に電気的接触する導電部間のみ信号の授受が行われるため、ディスクドライブ装置側に想定されるすべての位置に予め導電部を設けておけば、ディスク側に設けられている導電部が、例えば、下面のみに形成されていれば、ターンテーブル１００の導電部１０５のみが電気的に接触して両導電部間のみで信号授受が行われ、他の導電部は信号授受の動作に寄与しない。ディスクの他部に導電部が設けられている場合も同様で、設けられている導電部との間のみで信号の授受が行われ、汎用性が確保される。【０１０３】
光ディスク表面に形成される導電部２は、単なる導電膜であればよいから蒸着により容易に膜形成することができる。また、導電膜を表面に貼り付けることもできるし、蒸着以外の他の任意の方法で形成することもできる。例えば、光ディスクの両面に導電部を形成する構成としては、光ディスク面のクランプ部に貫通して金属等の導電体を埋め込み、各表面から若干突出させ、各突出表面に接続線を接続するようにすることもできる。このような構成によれば、耐久性が高く、突出部を介してディスク両面の電子回路等を接続させることが可能となり、利用性が拡張される。【０１０４】
図３〜図６に示すような実施例においては、ディスクとディスクドライブ装置側間の信号授受を導電部２と１０５によって行っているが、導電部の代わりに光電変換部(フォトダイオード)や無線部（アンテナ）を用いることができる。この場合には、ディスクとディスクドライブ装置側の光電変換部やアンテナは直接的に接触している必要はなく、離隔配設することができ、また、導電部間の確実な電気的接触を意識する必要がない、つまり、これらの配設はクランプ位置に限定する必要がなく、ディスクとドライブのインタフェースとしての対となる光電変換部やアンテナ等が、ディスク回転時に一体的に回転するディスクとディスクドライブ装置側の対応部位に形成されていれば良い。この構成も特徴的である。【０１０５】
ディスクとディスクドライブ装置側のそれぞれに電波信号授受のためのアンテナを設ける構成では、両アンテナ間は離隔配設可能であり、近接配設すれば、電波強度は微弱でもよく、外部からのノイズの影響を受けたり、外部への信号漏れもほとんどなく、確実な通信が可能となる。両アンテナの直接接触を避けるために、少なくとも一方のアンテナ表面を保護膜（例えば、絶縁膜）で被覆しておけば両者を接触させることもできる。【０１０６】
ディスクドライブ装置での光電変換部(フォトダイオード)や無線部（アンテナ）の配設位置は、例えば、ターンテーブルのディスクが直接戴置される載置部１０４よりも更に内側の凹部とし、この凹部との対向部のディスク部に、対応する光電変換部(フォトダイオード)や無線部（アンテナ）を配設すれば良い。勿論、アンテナを含む無線部や信号処理回路としての電子回路を当該凹部に設けることもできる。ディスクドライブ装置に配設されるアンテナは、周方向に形成するのが望ましく、連続したリング状、または円弧状等とすればディスク側のアンテナの配設場所を厳密にする必要がない。位置決め機構（例えば、図１０に示すような位置決め機構）を用いれば、光電変換部(フォトダイオード)や無線部（アンテナ）は、周方向に設ける必要はなく、一部に設けるだけで、対応するディスクの光電変換部(フォトダイオード)や無線部（アンテナ）と対向配設される。【０１０７】
図１７は、図４に示す構造に本実施例を適用したディスクドライブ装置の要部の簡略化した断面図である。【０１０８】
図１７を参照すると、ターンテーブル１００のリング状戴置部１０４上にディスク１が戴置され、クランパ２００でクランプされて回転駆動される。ターンテーブル１００の戴置部１０４の内側（中心側）は凹部であり、その凹部表面に例えば、アンテナ１０８が設けられている。一方、ディスク１のアンテナ１０８との対向位置にはアンテナ６が設けられている。アンテナ６と１０８は、近接配設され、かつ一体回転して相対的には静止状態で対向することになるから、従来のように回転に起因する問題は全く生じない。ターンテーブル１００に設けられたアンテナ１０８は周方向に形成され、好ましくはリング状または円弧状に形成される。戴置部１０４の表面は、ディスク１の接続部３が当接するため絶縁部としておく。本実施例は、クランプ機構はクランパ２００以外の、前述したような任意の機構を用いることができる。ここで、アンテナ６や１０８は無線部や信号処理回路としての電子回路を含むことができる。この場合、接続部３は不要となり、構成が簡素化される。【０１０９】
図１８は、図６に示す構造に本実施例を適用したディスクドライブ装置の要部の簡略化した断面図である。【０１１０】
図１８を参照すると、ターンテーブル１００のリング状戴置部１０４上にディスク１が戴置され、クランパ２００でクランプされて回転駆動される。クランパ２００の内周側には、凹部２２０を設けておき、この凹部２２０に例えば、アンテナ１０８が設けられている。一方、ディスク１のアンテナ１０８との対向位置にはアンテナ６が設けられている。アンテナ６と１０８は、近接配設され、かつ一体回転して相対的には静止状態で対向することになるから、回転に起因する問題は全く生じない。クランパ２００の凹部に設けられたアンテナ１０８は周方向に形成され、好ましくはリング状または円弧状に形成される。ディスク１の接続部３と当接するクランパ２００の表面は絶縁部としておく。ここで、アンテナ６や１０８は無線部や信号処理回路としての電子回路を含むことができる。この場合、接続部３は不要となり、構成が簡素化される。【０１１１】
上述実施例において、アンテナの代わりに光電変換部を用いる場合も同様である。【０１１２】
以上、本発明によるディスクドライブ装置並びにディスクの好適実施例の構成を詳述した。しかし、斯かる実施例は、本発明の単なる例示に過ぎず、何ら本発明を限定するものではないことに留意されたい。本発明の要旨を逸脱することなく、特定用途に応じて種々の変形変更が可能であること、当業者には容易に理解できよう。すなわち、本発明は上述実施例で説明したディスクドライブ装置とディスクに限定するものではなく、回転材を接触して保持（把持）部材により保持（把持）して回転させる回転機構における回転材と回転機構についても同様に適用可能である。【０１１３】
上述実施例の接触把持手段は、クランプ機構を含み、例えば、ターンテーブル１００、クランパ２００、クランプ部材１２０、更には突出部１０１とディスク開口穴５の内周部等をも含むことは前述のとおりである。【０１１４】
また、ディスクとディスクドライブ装置側の導電部の形状は任意であるが、より確実な電気的接続を得るために、クランプ時に導電部が嵌合するような形状（一方が凹形状で、他方が凸形状）とすることもできる。このとき、材料を弾性材とすればより好ましい。【０１１５】
なお、ディスクドライブ装置により光ディスクの電子回路から取得した情報を外部のコンピュータ等の処理装置で処理し、また当該処理装置で処理された信号又は電子回路で処理された信号を光ディスクのＲＡＭ領域や電子回路内または別設のメモリ等に書き込むように構成することもでき、その処理は任意である。【０１１６】
上述実施例において、電子回路はディスク内に埋設することができ、そうすることにより外部からの(手あかや油等)の汚れ、傷を受ける等を回避できるようになる。また、ディスク表面上に形成した電子回路を何らかの絶縁材料で被覆することにより電子回部やメモリ等を汚れや衝撃、更には水に対する防止策となる。【０１１７】
ディスクに複数個の電子回路を搭載する場合には、ディスク中心から対称位置にそれぞれの電子回路を設置するようにすればディスク全体のバランスを維持できるようになる。この場合、導電部はディスクとディスクドライブ装置側において径方向に離隔しておいて互いの電気的接触を回避する。同様に対となる電子回路を搭載する場合には、一対の電子回路はディスク開口孔中心に対して対称位置に形成することができる。【０１１８】
以上の説明から明らかなように、本発明は、また電子回路を搭載していない通常のディスクであっても使用可能である。
【図１】
2006085501.tif 000002
【図２】
2006085501.tif 000003
【図３】
2006085501.tif 000004
【図４】
2006085501.tif 000005
【図５】
2006085501.tif 000006
【図６】
2006085501.tif 000007
【図７】
2006085501.tif 000008
【図８】
2006085501.tif 000009
【図９】
2006085501.tif 000010
【図１０】
2006085501.tif 000011
【図１１】
2006085501.tif 000012
【図１２】
2006085501.tif 000013
【図１３】
2006085501.tif 000014
【図１４】
2006085501.tif 000015
【図１５】
2006085501.tif 000016
【図１６】
2006085501.tif 000017
【図１７】
2006085501.tif 000018
【図１８】
2006085501.tif 000019
【図１９】
2006085501.tif 000020
【国際調査報告】
2006085501.tif 000021
2006085501.tif 000022